(57)【要約】【課題】  フォーカシング方向における動作範囲の最小化による薄型化を図る。【解決手段】  対物レンズ駆動装置８に、固定ブロック１１と、ブルーレイディスク１００ｃの記録面にレーザー光を集光する第１の対物レンズ２４とコンパクトディスク１００ｂ又はデジタルバーサタイルディスク１００ａの記録面にレーザー光を集光する第２の対物レンズ２５とを保持すると共に固定ブロックに対してフォーカシング方向及びトラッキング方向の少なくとも２方向へ動作される可動ブロック１２と、固定ブロックと可動ブロックとを連結する支持バネ１６、１６、・・・とを設け、コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定した。【選択図】  図７
2005302163.tif 000002
【特許請求の範囲】
【請求項１】
ディスクテーブルに装着されるディスク状記録媒体の半径方向へ移動される移動ベースと該移動ベースに配置された対物レンズ駆動装置とを備え、上記ディスク状記録媒体としてディスクテーブルに装着されるコンパクトディスク、デジタルバーサタイルディスク及びブルーレイディスクに対応して３種類の波長のレーザー光を照射する光ピックアップであって、
上記対物レンズ駆動装置は、
上記移動ベースに固定された固定ブロックと、
ブルーレイディスクの記録面にレーザー光を集光する第１の対物レンズとコンパクトディスク又はデジタルバーサタイルディスクの記録面にレーザー光を集光する第２の対物レンズとを保持すると共に固定ブロックに対してディスク状記録媒体の記録面に離接する方向であるフォーカシング方向及びディスク状記録媒体の略半径方向であるトラッキング方向の少なくとも２方向へ動作される可動ブロックと、
固定ブロックと可動ブロックとを連結する支持バネとを備え、
コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定した
ことを特徴とする光ピックアップ。
【請求項２】
コンパクトディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定した
ことを特徴とする請求項１に記載の光ピックアップ。
【請求項３】
デジタルバーサタイルディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定した
ことを特徴とする請求項１に記載の光ピックアップ。
【請求項４】
ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共に上記ディスク状記録媒体としてディスクテーブルに装着されるコンパクトディスク、デジタルバーサタイルディスク及びブルーレイディスクに対応して３種類の波長のレーザー光を照射するように構成されたディスクドライブ装置であって、
上記対物レンズ駆動装置は、
上記移動ベースに固定された固定ブロックと、
ブルーレイディスクの記録面にレーザー光を集光する第１の対物レンズとコンパクトディスク又はデジタルバーサタイルディスクの記録面にレーザー光を集光する第２の対物レンズとを保持すると共に固定ブロックに対してディスク状記録媒体の記録面に離接する方向であるフォーカシング方向及びディスク状記録媒体の略半径方向であるトラッキング方向の少なくとも２方向へ動作される可動ブロックと、
固定ブロックと可動ブロックとを連結する支持バネとを備え、
コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定した
ことを特徴とするディスクドライブ装置。
【請求項５】
コンパクトディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定した
ことを特徴とする請求項４に記載のディスクドライブ装置。
【請求項６】
デジタルバーサタイルディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定した
ことを特徴とする請求項４に記載のディスクドライブ装置。
【発明の詳細な説明】
【技術分野】
【０００１】
本発明は光ピックアップ及びディスクドライブ装置に関する。詳しくは、種類の異なるディスク状記録媒体に対応して３種類の波長のレーザー光を照射する光ピックアップ及びこれを備えたディスクドライブ装置において、フォーカシング方向における動作範囲の最小化を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに設けられた対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このような光ピックアップを備えたディスクドライブ装置には、種類の異なる複数のディスク状記録媒体に対して情報信号の記録又は再生が可能とされ、例えば、第１のディスク状記録媒体の記録面にレーザー光を集光する第１の対物レンズと第２のディスク状記録媒体の記録面にレーザー光を集光する第２の対物レンズとを備えたものがある（例えば、特許文献１参照）。
【０００５】
一方、光ピックアップにあっては、対物レンズとディスク状記録媒体との間に、ディスク状記録媒体の面振れを許容するための作動距離（ワーキングディスタンス：ＷＤ）が必要とされ、この作動距離は、ディスク状記録媒体の厚みや対物レンズの開口数等によって定められる。
【０００６】
従って、上記のような２つの対物レンズを有する光ピックアップにあっては、第１のディスク状記録媒体と第２のディスク状記録媒体についての作動距離の相違に対応するために、特許文献１に記載されたように、対物レンズ駆動装置の可動ブロックに設けられた第１の対物レンズと第２の対物レンズのフォーカシング方向における位置を変えている。
【０００７】
【特許文献１】特開２００３―２８１７５８号公報
【発明の開示】
【発明が解決しようとする課題】
【０００８】
ところで、ディスク状記録媒体には、記録密度やカバー厚み等の相違により種々のタイプが存在し、例えば、レーザー光の使用波長が７８０ｎｍ付近であるコンパクトディスク（Compact Disc：ＣＤ）、使用波長が６６０ｎｍ付近であるデジタルバーサタイルディスク（Digital Versatile Disc：ＤＶＤ）に加え、近年、使用波長が４０５ｎｍ付近であるブルーレイディスク（Ｂｌｕ―ｒａｙディスク：ＢＤ）が開発されている。
【０００９】
従って、上記の３種類のディスク状記録媒体に対する情報信号の記録再生を１つの光ピックアップを用いて行う場合には、各ディスク状記録媒体に対応した異なる３つの作動距離を考慮する必要が生じるが、光ピックアップにおいては、異なる差動距離を考慮した状態で薄型化を図ることができる構成とすることが望ましい。特に、携帯用の機器に用いられる光ピックアップにあっては、薄型化の要求が高い。
【００１０】
そこで、本発明光ピックアップ及びディスクドライブ装置は、上記した問題点を克服し、フォーカシング方向における動作範囲の最小化による薄型化を図ることを課題とする。
【課題を解決するための手段】
【００１１】
本発明光ピックアップ及びディスクドライブ装置は、上記した課題を解決するために、対物レンズ駆動装置に、移動ベースに固定された固定ブロックと、ブルーレイディスクの記録面にレーザー光を集光する第１の対物レンズとコンパクトディスク又はデジタルバーサタイルディスクの記録面にレーザー光を集光する第２の対物レンズとを保持すると共に固定ブロックに対してディスク状記録媒体の記録面に離接する方向であるフォーカシング方向及びディスク状記録媒体の略半径方向であるトラッキング方向の少なくとも２方向へ動作される可動ブロックと、固定ブロックと可動ブロックとを連結する支持バネとを設け、コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定したものである。
【００１２】
従って、本発明光ピックアップ及びディスクドライブ装置にあっては、可動ブロックのフォーカシング方向における動作範囲が、ブルーレイディスクに対する情報信号の記録又は再生時のフォーカシング方向における可動ブロックの中立位置に拘わらず定まる。
【発明の効果】
【００１３】
本発明光ピックアップは、ディスクテーブルに装着されるディスク状記録媒体の半径方向へ移動される移動ベースと該移動ベースに配置された対物レンズ駆動装置とを備え、上記ディスク状記録媒体としてディスクテーブルに装着されるコンパクトディスク、デジタルバーサタイルディスク及びブルーレイディスクに対応して３種類の波長のレーザー光を照射する光ピックアップであって、上記対物レンズ駆動装置は、上記移動ベースに固定された固定ブロックと、ブルーレイディスクの記録面にレーザー光を集光する第１の対物レンズとコンパクトディスク又はデジタルバーサタイルディスクの記録面にレーザー光を集光する第２の対物レンズとを保持すると共に固定ブロックに対してディスク状記録媒体の記録面に離接する方向であるフォーカシング方向及びディスク状記録媒体の略半径方向であるトラッキング方向の少なくとも２方向へ動作される可動ブロックと、固定ブロックと可動ブロックとを連結する支持バネとを備え、コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定したことを特徴とする。
【００１４】
従って、可動ブロックのフォーカシング方向における動作範囲を最小限にすることができ、光ピックアップの薄型化を図ることができる。
【００１５】
請求項２に記載した発明にあっては、コンパクトディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定したので、第１の対物レンズが第２の対物レンズよりディスク状記録媒体側へ突出されないため、コンパクトディスクやブルーレイディスクの作動距離が小さい光学系において有効である。
【００１６】
請求項３に記載した発明にあっては、デジタルバーサタイルディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定したので、第１の対物レンズが第２の対物レンズより立ち上げミラーが配置される側へ突出されないため、光源から出射され立ち上げミラーに入射されるレーザー光の光束の径が大きい光学系において有効である。
【００１７】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共に上記ディスク状記録媒体としてディスクテーブルに装着されるコンパクトディスク、デジタルバーサタイルディスク及びブルーレイディスクに対応して３種類の波長のレーザー光を照射するように構成されたディスクドライブ装置であって、上記対物レンズ駆動装置は、上記移動ベースに固定された固定ブロックと、ブルーレイディスクの記録面にレーザー光を集光する第１の対物レンズとコンパクトディスク又はデジタルバーサタイルディスクの記録面にレーザー光を集光する第２の対物レンズとを保持すると共に固定ブロックに対してディスク状記録媒体の記録面に離接する方向であるフォーカシング方向及びディスク状記録媒体の略半径方向であるトラッキング方向の少なくとも２方向へ動作される可動ブロックと、固定ブロックと可動ブロックとを連結する支持バネとを備え、コンパクトディスクに対する情報信号の記録又は再生時のフォーカシング方向における可動ブロックの中立位置とデジタルバーサタイルディスクに対する情報信号の記録又は再生時のフォーカシング方向における可動ブロックの中立位置との間に、ブルーレイディスクに対する情報信号の記録又は再生時のフォーカシング方向における可動ブロックの中立位置を設定したことを特徴とする。
【００１８】
従って、可動ブロックのフォーカシング方向における動作範囲を最小限にすることができ、ディスクドライブ装置の薄型化を図ることができる。
【００１９】
請求項５に記載した発明にあっては、コンパクトディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定したので、第１の対物レンズが第２の対物レンズよりディスク状記録媒体側へ突出されないため、コンパクトディスクやブルーレイディスクの作動距離が小さい光学系において有効である。
【００２０】
請求項６に記載した発明にあっては、デジタルバーサタイルディスクに対する情報信号の記録又は再生時のフォーカシング方向における可動ブロックの中立位置とブルーレイディスクに対する情報信号の記録又は再生時のフォーカシング方向における可動ブロックの中立位置とを同じ位置に設定したので、第１の対物レンズが第２の対物レンズより立ち上げミラーが配置される側へ突出されないため、光源から出射され立ち上げミラーに入射されるレーザー光の光束の径が大きい光学系において有効である。
【発明を実施するための最良の形態】
【００２１】
以下に、本発明光ピックアップ及びディスクドライブ装置の最良の形態を添付図面を参照して説明する。
【００２２】
ディスクドライブ装置１は、外筐２内に所要の各部材及び各機構が配置されて成り（図１参照）、外筐２には図示しないディスク挿入口が形成されている。
【００２３】
外筐２内には図示しないシャーシが配置され、該シャーシに取り付けられたスピンドルモーターのモーター軸にディスクテーブル３が固定されている。
【００２４】
シャーシには、平行なガイド軸４、４が取り付けられると共に図示しない送りモーターによって回転されるリードスクリュー５が支持されている。
【００２５】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２６】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００２７】
ディスク状記録媒体１００としては、ＤＶＤ（Digital Versatile Disc）１００ａとＣＤ（Compact Disc）１００ｂに加え、Ｂｌｕ―ｒａｙディスク（ＢＤ）１００ｃが用いられる。これらの各ディスク状記録媒体１００のレーザー光の使用波長は、ＤＶＤ１００ａが約６６０ｎｍ、ＣＤ１００ｂが約７８０ｎｍ、ＢＤ１００ｃが約４０５ｎｍである。
【００２８】
各ディスク状記録媒体１００のカバー厚みは、ＤＶＤ１００ａが０．６ｍｍ、ＣＤ１００ｂが１．２ｍｍ、ＢＤ１００ｃが０．１ｍｍである。
【００２９】
対物レンズ駆動装置８に設けられる後述する対物レンズの開口数としては、各ディスク状記録媒体１００の使用波長やカバー厚み等を考慮して、ＣＤ１００ｂは０．５程度、ＤＶＤ１００ａは０．６５程度、ＢＤ１００ｃは０．８５程度とすることが望ましい。
【００３０】
対物レンズ駆動装置８はベース部材９と固定プレート１０と固定ブロック１１と該固定ブロック１１に対して動作される可動ブロック１２とを有している（図２乃至図６参照）。
【００３１】
ベース部材９は磁性金属材料によって形成され、図２に示すように、移動ベース７上に固定されたベース部９ａと該ベース部９ａからそれぞれ直角に立ち曲げられたヨーク部９ｂ、９ｂとから成る。ヨーク部９ｂ、９ｂは前後方向、即ち、ディスク状記録媒体１００のタンジェンシャル方向（ＴＡＮ）に離隔して設けられている。
【００３２】
ヨーク部９ｂ、９ｂの互いに対向する面には、それぞれマグネット１３、１３が取り付けられている。
【００３３】
固定プレート１０はベース部材９に対してタンジェンシャル方向（後方）に離隔して設けられ、移動ベース７上に固定されている。
【００３４】
固定ブロック１１は固定プレート１０上に固定され、固定ブロック１１の後面には、その左右両端部に上下に離隔して合計４つの端子部１４、１４、・・・が設けられている（図２乃至図４に２つのもののみ示す。）。
【００３５】
固定ブロック１１の後面には回路基板１５の一端部が取り付けられ、該回路基板１５は図示しない電源回路に接続されている。回路基板１５は、例えば、フレキシブルプリント配線板であり、その各接続線の一端部がそれぞれ固定ブロック１１に設けられた端子部１４、１４、・・・に接続されている。
【００３６】
固定ブロック１１の端子部１４、１４、・・・にはそれぞれ支持バネ１６、１６、・・・の各後端部が接続され、該支持バネ１６、１６、・・・は端子部１４、１４、・・・を介して回路基板１５の各接続線に接続されている。支持バネ１６、１６、・・・は固定ブロック１１から前方へ向けて突出されている。
【００３７】
固定ブロック１１の前面には、左右に離隔してチルトコイル１７、１７が取り付けられている。チルトコイル１７、１７は略角筒状に巻回されて形成され、巻軸方向が前後方向、即ち、タンジェンシャル方向とされている。チルトコイル１７、１７は、可動ブロック１２をチルト方向へ動作させるためのコイルである。尚、チルト方向はディスク状記録媒体１００の面振れの方向（図３に示すＲ方向）、即ち、タンジェンシャル方向に延びる軸を中心とした回動方向である。
【００３８】
チルトコイル１７、１７には電源回路から回路基板１５を介してチルト調整用の駆動電流が供給される。
【００３９】
可動ブロック１２は可動ホルダー１８と駆動コイル１９とを有している。
【００４０】
可動ホルダー１８はレンズ取付部２０と該レンズ取付部２０の後側に設けられたコイル保持部２１とが一体に形成されて成る。
【００４１】
レンズ取付部２０には、その前半部２２が後半部２３より低くなるように段差２０ａが形成されている（図２及び図３参照）。レンズ取付部２０には、前半部２２と後半部２３にそれぞれ上下に貫通された透過孔２２ａ、２３ａが形成され、該透過孔２２ａ、２３ａをそれぞれ上側から覆うようにして第１の対物レンズ２４と第２の対物レンズ２５が取り付けられている。
【００４２】
第１の対物レンズ２４は、約４０５ｎｍのレーザー光に対応した構成とされており、開口数が０．８５程度にされ、ＢＤ１００ｃの記録面にレーザー光を集光する役割を果たす。
【００４３】
第２の対物レンズ２５は、約６６０ｎｍ及び約７８０ｎｍのレーザー光に対応した構成とされており、それぞれ開口数が０．６５程度及び０．５程度にされ、ＤＶＤ１００ａ又はＣＤ１００ｂの記録面にレーザー光を集光する役割を果たす。このように第２の対物レンズ２５は開口数が第１の対物レンズ２４より小さくされており、その分、第１の対物レンズ２４よりも厚みが薄くされている。
【００４４】
コイル保持部２１は上下に貫通された略矩形の枠状に形成され、コイル保持部２１の内側には駆動コイル１９が保持されている。
【００４５】
駆動コイル１９は、可動ブロック１２をフォーカシング方向へ動作させるためのフォーカシングコイル２６と、可動ブロック１２をトラッキング方向へ動作させるためのトラッキングコイル２７、２７とによって構成されている。フォーカシング方向はディスク状記録媒体１００に離接する方向（図３に示すＦ方向）、即ち、上下方向であり、トラッキング方向はディスク状記録媒体１００の半径方向（図３に示すＴ方向）、即ち、左右方向である。
【００４６】
フォーカシングコイル２６及びトラッキングコイル２７、２７はそれぞれ略角筒状に巻回されて形成され、フォーカシングコイル２６は巻軸方向が上下方向（フォーカシング方向）とされ、トラッキングコイル２７、２７は巻軸方向が前後方向（タンジェンシャル方向）とされている。トラッキングコイル２７、２７はフォーカシングコイル２６の前面に左右に離隔して設けられている。
【００４７】
フォーカシングコイル２６及びトラッキングコイル２７、２７の各一端部は、それぞれ可動ホルダー１８の両側面に設けられた接続端子部１８ａ、１８ａ、・・・に接続されている。接続端子部１８ａ、１８ａ、・・・にはそれぞれ支持バネ１６、１６、・・・の各前端部が接続されている。従って、可動ブロック１２は支持バネ１６、１６、・・・によって固定ブロック１１と連結されて中空に保持される。
【００４８】
支持バネ１６、１６、・・・には、電源回路から回路基板１５を介してフォーカシング調整用又はトラッキング調整用の駆動電流が供給される。従って、支持バネ１６、１６、・・・のうち各２本ずつが、それぞれフォーカシングコイル２６とトラッキングコイル２７、２７への給電部材として機能する。
【００４９】
フォーカシングコイル２６の前側の部分とトラッキングコイル２７、２７の前後両側には、それぞれヨーク部９ｂ、９ｂに取り付けられたマグネット１３、１３が配置される。
【００５０】
可動ホルダー１８のコイル保持部２１の後面には、左右に離隔してバックヨーク２８、２８とチルトマグネット２９、２９が重ねられた状態で取り付けられている（図２乃至図４参照）。チルトマグネット２９、２９は、それぞれ固定ブロック１１の前面に取り付けられたチルトコイル１７、１７に対向して位置される。
【００５１】
電源回路から回路基板１５及び支持バネ１６、１６、・・・を介してフォーカシングコイル２６又はトラッキングコイル２７、２７、・・・に駆動電流が供給されると、これらの駆動電流の向きとマグネット１３、１３及びヨーク部９ｂ、９ｂにより発生する磁束の方向とによって、可動ブロック１２がフォーカシング方向又はトラッキング方向に移動される。
【００５２】
また、電源回路から回路基板１５を介してチルトコイル１７、１７に駆動電流が供給されると、これらの駆動電流の向きとバックヨーク２８、２８、チルトマグネット２９、２９により発生する磁束の方向とによって、可動ブロック１２がチルト方向に移動される。
【００５３】
可動ブロック１２がフォーカシング方向、トラッキング方向又はチルト方向へ動作されるときには、支持バネ１６、１６、・・・が弾性変形される。
【００５４】
可動ホルダー１８に設けられた第１の対物レンズ２４と第２の対物レンズ２５の下方には、それぞれ第１の立ち上げミラー３０と第２の立ち上げミラー３１が配置されている（図５及び図６参照）。第１の立ち上げミラー３０と第２の立ち上げミラー３１は、それぞれ反射面（斜面）３０ａ、３１ａが異なる向きで移動ベース７上に配置されている。従って、図示しない光源から出射され第１の立ち上げミラー３０に入射されるレーザー光Ｒ１と、同じく図示しない光源から出射され第２の立ち上げミラー３１に入射されるレーザー光Ｒ２とは、異なる角度で第１の立ち上げミラー３０又は第２の立ち上げミラー３１に入射される。
【００５５】
例えば、図６に示すように、第１の立ち上げミラー３０にはレーザー光Ｒ１が略前方から入射され、第２の立ち上げミラー３１にはレーザー光Ｒ２が略右方から入射される。
【００５６】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００５７】
この記録動作及び再生動作において、フォーカシングコイル２６に駆動電流が供給されると、上記したように、対物レンズ駆動装置８の可動ブロック１２が固定ブロック１１に対して図３に示すフォーカシング方向Ｆ―Ｆへ動作され、移動ベース７に設けられた図示しない光源から出射され第１の対物レンズ２４又は第２の対物レンズ２５を介して照射されるレーザー光のスポットがディスク状記録媒体１００の反りに対応して略垂直に集光するようにフォーカシング調整が為される。
【００５８】
また、トラッキングコイル２７、２７に駆動電流が供給されると、上記したように、対物レンズ駆動装置８の可動ブロック１２が固定ブロック１１に対して図３に示すトラッキング方向Ｔ―Ｔへ動作され、光源から出射され第１の対物レンズ２４又は第２の対物レンズ２５を介して照射されるレーザー光のスポットがディスク状記録媒体１００の記録トラック上に集光するようにトラッキング調整が為される。
【００５９】
さらに、チルトコイル１７、１７に駆動電流が供給されると、上記したように、対物レンズ駆動装置８の可動ブロック１２が固定ブロック１１に対して図３に示すチルト方向Ｒ―Ｒへ動作され、光源から出射され第１の対物レンズ２４又は第２の対物レンズ２５を介して照射されるレーザー光のスポットがディスク状記録媒体１００の記録トラック上に集光するようにチルト調整が為される。
【００６０】
対物レンズ駆動装置８にあっては、上記したように、ＤＶＤ１００ａ、ＣＤ１００ｂ及びＢＤ１００ｃの種類の異なる３つのディスク状記録媒体１００に対する情報信号の記録及び再生が可能とされている。従って、フォーカシング方向における可動ブロック１２の中立位置が、各ディスク状記録媒体１００の作動距離（ワーキングディスタンス：ＷＤ）、即ち、ディスク状記録媒体１００から対物レンズまでの距離を考慮して定められている（図７参照）。
【００６１】
ＤＶＤ１００ａとＣＤ１００ｂについては、作動距離がＤＶＤ１００ａの場合がＣＤ１００ｂの場合に比し大きいため、その分、ＤＶＤ１００ａに対する情報信号の記録又は再生時のフォーカシング方向における可動ブロック１２の中立位置は、ＣＤ１００ｂに対する情報信号の記録又は再生時のフォーカシング方向における可動ブロック１２の中立位置よりディスク状記録媒体１００からフォーカシング方向において離隔した位置に設定されている。
【００６２】
従って、ＤＶＤ１００ａの場合の可動ブロック１２の中立位置は、ＣＤ１００ｂの場合の可動ブロック１２の中立位置に対して両者の中立位置の差であるΔＷＤだけ下方に離隔した位置に設定されている。
【００６３】
対物レンズ駆動装置８にあっては、上記のようにＤＶＤ１００ａとＣＤ１００ｂの場合の可動ブロック１２の各中立位置が設定されており、ＤＶＤ１００ａとＣＤ１００ｂのみについて考慮した場合には、図７に示すように、ＣＤ１００ｂの場合のフォーカスストロークの上限からＤＶＤ１００ａの場合のフォーカスストロークの下限までの範囲が可動ブロック１２の動作範囲（トータルストローク）となる。
【００６４】
このときＢＤ１００ｃに対する情報信号の記録又は再生時のフォーカシング方向における可動ブロック１２の中立位置は、ＣＤ１００ｂの場合の中立位置とＤＶＤ１００ａの場合の中立位置との間に存在するように設定されている。従って、ＤＶＤ１００ａとＣＤ１００ｂに加えＢＤ１００ｃについて考慮した場合においても、可動ブロック１２の動作範囲（トータルストローク）は、ＣＤ１００ｂの場合のフォーカスストロークの上限からＤＶＤ１００ａの場合のフォーカスストロークの下限までの範囲となり、ＤＶＤ１００ａとＣＤ１００ｂのみについて考慮した場合と同じ範囲である。
【００６５】
尚、上記のように、ＢＤ１００ｃの場合の中立位置は、ＣＤ１００ｂの場合の中立位置とＤＶＤ１００ａの場合の中立位置との間に存在すればよく、例えば、図８に示すように、ＢＤ１００ｃの場合の中立位置とＣＤ１００ｂの場合の中立位置とを同じ位置に設定することが可能である。
【００６６】
この場合には、可動ブロック１２の前半部２２が後半部２３より段差２０ａによって下側に位置され、第１の対物レンズ２４が第２の対物レンズ２５より上方へ突出されないため、ＣＤ１００ｂやＢＤ１００ｃの作動距離が小さい光学系において有効である。
【００６７】
一方、ＢＤ１００ｃの場合の中立位置とＤＶＤ１００ａの場合の中立位置とを同じ位置に設定することが可能である（図９参照）。
【００６８】
この場合には、可動ブロック１２の前半部２２が後半部２３より段差２０ｂによって上側に位置され、第１の対物レンズ２４が第２の対物レンズ２５より下方へ突出されないため、光源から出射され第１の立ち上げミラー３０に入射されるレーザー光の光束Ｑの径が大きい光学系において有効である。
【００６９】
以上に記載した通り、光ピックアップ６にあっては、ＢＤ１００ｃの場合の中立位置を、ＣＤ１００ｂの場合の中立位置とＤＶＤ１００ａの場合の中立位置との間の位置に設定しているため、可動ブロック１２のフォーカシング方向における動作範囲を最小限にすることができ、対物レンズ駆動装置８の薄型化を図ることができる。
【００７０】
尚、上記には、可動ブロック１２がフォーカシング方向、トラッキング方向及びチルト方向の３軸方向に動作される対物レンズ駆動装置８を例として説明したが、本発明は、フォーカシング方向及びトラッキング方向の２軸方向のみに動作される対物レンズ駆動装置にも適用することが可能である。
【００７１】
また、上記には、第１の対物レンズ２４がＢＤ１００ｃの記録面にレーザー光を集光する役割を果たし、第２の対物レンズ２５がＤＶＤ１００ａ及びＣＤ１００ｂの記録面にレーザー光を集光する役割を果たす構成を例として示したが、逆に、第１の対物レンズがＤＶＤ１００ａ及びＣＤ１００ｂの記録面にレーザー光を集光する役割を果たし、第２の対物レンズがＢＤ１００ｃの記録面にレーザー光を集光する役割を果たす構成とすることも可能である。
【００７２】
さらに、上記した対物レンズ駆動装置８にあっては、可動ブロック１２に段差２０ａ又は段差２０ｂを形成して第１の対物レンズ２４と第２の対物レンズ２５のフォーカシング方向における位置を変える例を示したが、第１の対物レンズ２４と第２の対物レンズ２５のフォーカシング方向における位置の変更は、これらの段差２０ａ、２０ｂに限らず、例えば、可動ブロック１２に傾斜面を形成することにより行うようにしてもよい。
【００７３】
上記には、フォーカシング方向を上下方向、トラッキング方向を左右方向として説明したが、これらの方向は説明の便宜上、例として示したものであり、特にこれらの方向に限定されることはない。
【００７４】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７５】
【図１】図２乃至図９と共に本発明を実施するための最良の形態を示すものであり、本図はディスクドライブ装置の概略斜視図である。
【図２】対物レンズ駆動装置の一部を分解して示す拡大斜視図である。
【図３】対物レンズ駆動装置の拡大斜視図である。
【図４】対物レンズ駆動装置の拡大平面図である。
【図５】対物レンズ駆動装置の一部を断面にして示す拡大側面図である。
【図６】対物レンズと立ち上げミラーの関係を示す概略平面図である。
【図７】可動ブロックの各中立位置の位置関係を示す概念図である。
【図８】ＣＤの場合の中立位置とＢＤの場合の中立位置とを同じ位置にした場合の各中立位置の位置関係を示す概念図である。
【図９】ＤＶＤの場合の中立位置とＢＤの場合の中立位置とを同じ位置にした場合の各中立位置の位置関係を示す概念図である。
【符号の説明】
【００７６】
１００…ディスク状記録媒体、１…ディスクドライブ装置、３…ディスクテーブル、６…光ピックアップ、７…移動ベース、８…対物レンズ駆動装置、１１…固定ブロック、１２…可動ブロック、１６…支持バネ、２４…第１の対物レンズ、２５…第２の対物レンズ
【図１】
2005302163.tif 000003
【図２】
2005302163.tif 000004
【図３】
2005302163.tif 000005
【図４】
2005302163.tif 000006
【図５】
2005302163.tif 000007
【図６】
2005302163.tif 000008
【図７】
2005302163.tif 000009
【図８】
2005302163.tif 000010
【図９】
2005302163.tif 000011